(57)【要約】【課題】  基準視線方向と参照視線方向の画像データを交互に表示する際、参照視線方向から基準視線方向への切り換えを簡単な操作で効率よく行なう。【解決手段】  超音波画像データのリアルタイム観測下にて穿刺治療を行なう際に、基準視線方向設定部８１は、方向・位置検出部６が検出した穿刺針の挿入方向に基づいて基準視線方向を設定し、マニュアル表示モード設定部８３は、この基準視線方向に基づいて表示パラメータを設定して表示パラメータ記憶部８４に保存する。一方、画像再構成部９及び表示部１１は、前記表示パラメータを用いて基準視線方向の基準画像データの生成と表示を行なった後その表示を中断して所望の方向に設定した参照視線方向の参照画像データの生成と表示を行ない、更に、保存された前記表示パラメータを用いて基準視線方向の画像データの生成と表示を続行する。【選択図】  図１
2006346176.tif 000002
【特許請求の範囲】
【請求項１】
被検体に対して超音波の送受信を行なう超音波振動子を有した超音波プローブと、
前記超音波振動子を駆動して超音波の送信を行なう送信手段と、
前記超音波の送受信によって得られた前記被検体からの反射信号を受信する受信手段と、
前記超音波の送受信の方向を制御し前記被検体を３次元走査する走査制御手段と、
前記受信手段によって得られた受信信号に基づいてボリュームデータを生成するボリュームデータ生成手段と、
前記被検体に対して基準視線方向を設定する基準視線方向設定手段と、
前記基準視線方向と異なる方向に参照視線方向を設定する参照視線方向設定手段と、
前記基準視線方向及び前記参照視線方向の表示パラメータに基づいて基準画像データ及び参照画像データを生成する画像データ生成手段と、
少なくとも前記基準視線方向の表示パラメータを保存する表示パラメータ記憶手段と、
前記基準画像データ及び前記参照画像データを表示する表示手段を備え、
前記基準画像データと前記参照画像データの生成と表示を交互に行なう際に、所定の参照画像データの生成前に行なわれた基準画像データの生成における基準視線方向の表示パラメータを前記表示パラメータ記憶手段から読み出し、この表示パラメータに基づいて前記参照画像データの生成後の基準画像データを生成することを特徴とする超音波診断装置。
【請求項２】
前記被検体の体内に挿入された診断・治療器具の挿入方向を検出する方向・位置検出手段を備え、前記基準視線方向設定手段は、前記方向・位置検出手段が検出した前記挿入方向に基づいて前記基準視線方向を設定することを特徴とする請求項１記載の超音波診断装置。
【請求項３】
前記方向・位置検出手段は、前記超音波プローブに対する前記診断・治療器具の相対位置情報に基づいて前記挿入方向を検出することを特徴とする請求項２記載の超音波診断装置。
【請求項４】
前記方向・位置検出手段は、前記ボリュームデータを画像処理して抽出した輪郭情報に基づいて前記診断・治療器具の挿入方向を検出することを特徴とする請求項２記載の超音波診断装置。
【請求項５】
参照視線方向入力手段を備え、前記参照視線方向設定手段は、前記参照視線方向入力手段において入力された設定情報に基づいて前記参照視線方向の設定を行なうことを特徴とする請求項１記載の超音波診断装置。
【請求項６】
前記参照視線方向設定手段は、前記参照視線方向入力手段において入力された設定情報に基づいて前記参照視線方向と共に画像回転の設定を行なうことを特徴とする請求項５記載の超音波診断装置。
【請求項７】
表示モード入力手段と表示モード変更手段を備え、前記表示モード変更手段は、前記表示モード入力手段から供給される指示信号に基づいて前記参照画像データの表示から前記基準画像データの表示への切換えを行なうことを特徴とする請求項１記載の超音波診断装置。
【請求項８】
表示モード変更手段を備え、前記表示モード変更手段は、前記参照画像データの表示と前記基準画像データの表示を交互に自動切換えすることを特徴とする請求項１記載の超音波診断装置。
【請求項９】
表示パラメータ設定手段を備え、前記表示パラメータ設定手段は、画像表示方法あるいは画像処理方法に基づいて前記表示パラメータを設定することを特徴とする請求項１記載の超音波診断装置。
【請求項１０】
前記画像データ生成手段は、前記基準視線方向及び前記参照視線方向の情報に基づいて前記ボリュームデータを座標変換して前記基準画像データ及び前記参照画像データを生成することを特徴とする請求項１記載の超音波診断装置。
【請求項１１】
被検体に対し医用画像診断装置を用いて得られたボリュームデータを保存するボリュームデータ記憶手段と、
前記ボリュームデータに基づいて基準視線方向を設定する基準視線方向設定手段と、
前記基準視線方向と異なる方向に参照視線方向を設定する参照視線方向設定手段と、
前記基準視線方向及び前記参照視線方向の表示パラメータに基づいて基準画像データ及び参照画像データを生成する画像データ生成手段と、
少なくとも前記基準視線方向の表示パラメータを保存する表示パラメータ記憶手段と、
前記基準画像データ及び前記参照画像データを表示する表示手段を備え、
前記基準画像データと前記参照画像データの生成と表示を交互に行なう際に、所定の参照画像データの生成前に行なわれた基準画像データの生成における基準視線方向の表示パラメータを前記表示パラメータ記憶手段から読み出し、この表示パラメータに基づいて前記参照画像データの生成後の基準画像データを生成することを特徴とする画像表示装置。
【請求項１２】
前記被検体の体内に挿入された診断・治療器具の挿入方向を検出する方向・位置検出手段を備え、前記基準視線方向設定手段は、前記方向・位置検出手段が検出した前記挿入方向に基づいて前記基準視線方向を設定することを特徴とする請求項１１記載の画像表示装置。
【請求項１３】
前記方向・位置検出手段は、前記ボリュームデータを画像処理して抽出した輪郭情報に基づいて前記診断・治療器具の挿入方向を検出することを特徴とする請求項１２記載の画像表示装置。
【発明の詳細な説明】
【技術分野】
【０００１】
本発明は、超音波診断装置及び画像表示装置に係り、特に、超音波画像データを用いて診断あるいは治療を行なう際に用いられる超音波診断装置及び画像データ表示装置に関する。
【背景技術】
【０００２】
超音波診断装置は、超音波プローブに内蔵された超音波振動子から発生する超音波を被検体内に放射し、被検体組織の音響インピーダンスの差異によって生ずる反射波を前記超音波プローブによって受信してモニタ上に表示するものである。
【０００３】
超音波診断法は、超音波プローブを体表に接触させるだけの簡単な操作でリアルタイムの２次元画像が容易に観測できるため、心臓などの機能検査や各種臓器の形態診断に広く用いられている。又、Ｘ線診断装置やＸ線ＣＴ装置による診断法に見られるような被曝が無いため、心臓、腹部、乳腺、泌尿器に対する診断のみならず、産科領域の胎児診断においても繰り返し用いることができ、更に、装置が小型ゆえにベッドサイドでの使用が可能である等多くの利点を有している。
【０００４】
一方、近年では、複数の超音波振動子が１次元配列された超音波プローブを更に機械的に移動することによって３次元的な画像データ（以下では、ボリュームデータと呼ぶ。）を収集する方法が開発され、更に、複数の超音波振動子が２次元配列された所謂２次元アレイ超音波プローブを用いてボリュームデータを収集し、このボリュームデータに基づいて生成された画像データ（以下では、３次元画像データと呼ぶ。）をリアルタイム表示しようとする試みがなされている（例えば、特許文献１参照。）。
【０００５】
このようにして得られた３次元画像データを観測することによって、血管や各臓器の位置関係の把握が容易となるため侵襲的な検査や治療への適用が検討されており、例えば、患部組織に対する薬物の投与や細胞・組織の摘出を目的とした穿刺を３次元画像データの観測下にて行なうことにより検査や治療における安全性を飛躍的に向上することができる。
【０００６】
ところで、３次元画像データを上述の検査や治療に用いる最大の目的は、病巣部と周囲の臓器や血管との位置関係を正確に把握することにあるが、これを行なうためには収集されたボリュームデータから３次元画像データを生成する際に、観測方向（以下、視線方向と呼ぶ。）を簡単な操作で任意の方向に設定可能である必要があり、このような要求に対して、３次元画像データの視線方向に対応したジョイスティック等を操作部（入力部）に設け、所定方向に移動（傾倒）したジョイスティックのＸ軸、Ｙ軸及びＺ軸に対する回動角度に基づいて３次元画像データの視線方向を設定する方法が提案されている（例えば、特許文献２参照。）。
【特許文献１】米国特許第５５６３３４６号明細書
【特許文献２】特開平９−６２４３８号公報
【発明の開示】
【発明が解決しようとする課題】
【０００７】
３次元画像データの観測下において穿刺針やカテーテルを用いた診断・治療を行なう場合、３次元画像データの視線方向は通常穿刺針やカテーテルの挿入方向に設定されるが、この視線方向に基づいて生成された3次元画像データのみでは穿刺針やカテーテルの挿入方向や挿入深度の観測が周囲の臓器や血管、更には超音波特有の体内ガスや骨格等の影響によって阻害される場合が多い。
【０００８】
即ち、穿刺針やカテーテルの挿入方向や挿入深度を正確に設定するためには、挿入方向に設定された視線方向（以下、基準視線方向）に基づいて生成された3次元画像データ（以下、基準3次元画像データ）の他に、上述の阻害要因の影響を受け難い方向を視線方向（以下、参照視線方向）として生成された3次元画像データ（以下、参照３次元画像データ）の観測が必要となる。
【０００９】
例えば、医師ら（以下、操作者）は、穿刺針やカテーテルの挿入前あるいは挿入中において基準３次元画像データを観測し、挿入に必要な画像情報が上述の阻害要因のために得られない場合には視線方向を他の視線方向（参照視線方向）に切り換えて参照３次元画像データの観測を行なう。そして、１方向あるいは複数方向の参照視線方向において得られた参照３次元画像データによって必要な画像情報の収集が完了したならば、再度、視線方向を基準視線方向に戻し、この基準視線方向の基準３次元画像データに基づいて穿刺針あるいはカテーテルの挿入操作を続行する。尚、上述の参照３次元画像データを生成する際、好適な画像表示方法や画像処理方法等が基準３次元画像データに対して独立に設定される場合がある。
【００１０】
ところで、所定の参照視線方向から元の基準視線方向に戻す場合、従来は入力部に設けられたポインティングデバイス（入力デバイス）を用いて再設定が行なわれ、視線方向の再設定に伴う画像表示方法や画像処理方法等の再設定も手動によって行なわれてきた。
【００１１】
即ち、上述の視線方向や画像表示方法、更には画像処理方法等（以下では、これらを纏めて画像パラメータと呼ぶ。）の再設定は、操作者が手動によって行なってきたため多くの時間と手間を要し操作者に与える負担も大きかった。又、手動による視線方向の再設定は十分な再現性が得られないため診断・治療の精度を劣化させる可能性もあった。
【００１２】
本発明は、上述の問題点に鑑みてなされたものであり、その目的は、基準３次元画像データと参照３次元画像データのリアルタイム表示を交互に行ないながら被検体に対する診断あるいは治療を行なう際に、参照３次元画像データの表示から基準３次元画像データの表示への切り換えを短時間かつ簡単な操作で行なうことにより診断効率あるいは治療効率の向上が可能な超音波診断装置及び画像表示装置を提供することにある。
【課題を解決するための手段】
【００１３】
上記課題を解決するために、請求項１に係る本発明の超音波診断装置は、被検体に対して超音波の送受信を行なう超音波振動子を有した超音波プローブと、前記超音波振動子を駆動して超音波の送信を行なう送信手段と、前記超音波の送受信によって得られた前記被検体からの反射信号を受信する受信手段と、前記超音波の送受信の方向を制御し前記被検体を３次元走査する走査制御手段と、前記受信手段によって得られた受信信号に基づいてボリュームデータを生成するボリュームデータ生成手段と、前記被検体に対して基準視線方向を設定する基準視線方向設定手段と、前記基準視線方向と異なる方向に所望の参照視線方向を設定する参照視線方向設定手段と、前記基準視線方向及び前記参照視線方向の表示パラメータに基づいて基準画像データ及び参照画像データを生成する画像データ生成手段と、少なくとも前記基準視線方向の表示パラメータを保存する表示パラメータ記憶手段と、前記基準画像データ及び前記参照画像データを表示する表示手段を備え、前記基準画像データと前記参照画像データの生成と表示を交互に行なう際に、所定の参照画像データの生成前に行なわれた基準画像データの生成における基準視線方向の表示パラメータを前記表示パラメータ記憶手段から読み出し、この表示パラメータに基づいて前記参照画像データの生成後の基準画像データを生成することを特徴としている。
【００１４】
又、請求項１１に係る本発明の画像表示装置は、被検体に対し医用画像診断装置を用いて得られたボリュームデータを保存するボリュームデータ記憶手段と、前記ボリュームデータに基づいて基準視線方向を設定する基準視線方向設定手段と、前記基準視線方向と異なる方向に所望の参照視線方向を設定する参照視線方向設定手段と、前記基準視線方向及び前記参照視線方向の表示パラメータに基づいて基準画像データ及び参照画像データを生成する画像データ生成手段と、少なくとも前記基準視線方向の表示パラメータを保存する表示パラメータ記憶手段と、前記基準画像データ及び前記参照画像データを表示する表示手段を備え、前記基準画像データと前記参照画像データの生成と表示を交互に行なう際に、所定の参照画像データの生成前に行なわれた基準画像データの生成における基準視線方向の表示パラメータを前記表示パラメータ記憶手段から読み出し、この表示パラメータに基づいて前記参照画像データの生成後の基準画像データを生成することを特徴としている。
【発明の効果】
【００１５】
本発明によれば、基準画像データと参照画像データの表示を交互に行ないながら被検体に対する診断あるいは治療を行なう際に、参照画像データの表示から基準画像データの表示への切り換えを短時間かつ簡単な操作で行なうことにより、診断効率や治療効率が向上するとともに正確な診断や治療が可能となる。
【発明を実施するための最良の形態】
【００１６】
以下、図面を参照して本発明の実施例を説明する。
【実施例１】
【００１７】
以下に述べる本発明の第１の実施例では、ボリュームデータに基づいて生成された画像データ（即ち、３次元画像データ）のリアルタイム観測下にて穿刺治療を行なう場合に、穿刺針の挿入方向に基づいて設定された基準視線方向と初期設定された画像表示方法及び画像処理方法に基づいて表示パラメータ設定し、この表示パラメータを用いて基準３次元画像データの生成と表示を行なうと共に表示パラメータの保存を行なう。次いで、基準３次元画像データの生成と表示を中断し、所望の方向に設定した参照視線方向に基づいて参照３次元画像データの生成と表示を行なった後、保存された前記表示パラメータに基づいた基準３次元画像データの生成と表示を続行する。
【００１８】
尚、以下の実施例では、２次元アレイ超音波プローブを用いた３次元走査によりボリュームデータを生成する場合について述べるが、これに限定されるものではなく、例えば複数の超音波振動子が１次元配列された超音波プローブを移動あるいは回動してもよい。更に、穿刺針による治療を目的とした３次元画像データの表示方法について述べるが、カテーテル等の診断・治療器具を用いた他の診断・治療であっても構わない。
【００１９】
（装置の構成）
本実施例における超音波診断装置の構成につき図１乃至図３を用いて説明する。尚、図1は、超音波診断装置の全体構成を示すブロック図であり、図２は、この超音波診断装置が備えた送受信部及び受信信号処理部のブロック図を示す。
【００２０】
図１に示した本実施例の超音波診断装置１００は、被検体に対して超音波パルスを送信すると共に、超音波反射波（受信超音波）を電気信号（受信信号）に変換する超音波振動子を備えた超音波プローブ３と、被検体の所定方向に対して超音波パルスを送信するための駆動信号を超音波プローブ３の超音波振動子に供給すると共に超音波振動子から得られた複数チャンネルの受信信号を整相加算する送受信部２と、整相加算後の受信信号に対してＢモードデータを生成する受信信号処理部４と、走査方向単位で得られるＢモードデータを順次保存して３次元データ（ボリュームデータ）を生成するボリュームデータ記憶部５を備えている。
【００２１】
又、超音波診断装置１００は、超音波プローブ３に装着され、穿刺針１５０の挿入方向や先端部の位置（即ち、挿入深度）を検出する方向・位置検出部６と、被検体情報の入力、参照視線方向の設定、基準３次元画像データ及び参照３次元画像データに対する画像表示方法や画像処理方法等の設定、更には、各種コマンド信号の入力等を行なう入力部７と、上述の画像パラメータ（視線方向、画像表示方法及び画像処理方法等）に基づいて表示パラメータの設定と保存を行なう表示パラメータ設定部８を備えている。
【００２２】
更に、超音波診断装置１００は、ボリュームデータ記憶部５に保存されたボリュームデータを読み出し、上述の表示パラメータに基づいて所定視線方向からの３次元画像データを再構成する画像再構成部９と、得られた３次元画像データに対して画像処理を行なう画像処理部１０と、画像処理された３次元画像データを表示する表示部１１と、上述の各ユニットを統括的に制御するシステム制御部１２を備えている。
【００２３】
超音波プローブ３は、図示しない２次元配列されたN個（Ｎ＝Ｎ１×Ｎ２）の超音波振動子をその先端部分に有し、この先端部分を被検体に接触させて超音波の送受信を行なう。又、超音波プローブ３の超音波振動子の各々は、図示しないNチャンネルの多芯ケーブルを介して送受信部２に接続されている。超音波振動子は電気音響変換素子であり、送信時には電気パルス（駆動信号）を超音波パルス（送信超音波）に変換し、又、受信時には超音波反射波（受信超音波）を電気的な受信信号に変換する機能を有している。
【００２４】
この超音波プローブ３には、セクタ走査対応、リニア走査対応、コンベックス走査対応等があり、操作者は診断部位に応じて任意に選択することが可能であるが、本実施例では、Ｎ本の超音波振動子が２次元配列されているセクタ走査用の超音波プローブを用いた場合について述べる。
【００２５】
次に、図２に示した送受信部２は、超音波プローブ３の超音波振動子に対して駆動信号を供給する送信部２１と、超音波振動子から得られたＮチャンネルの受信信号に対して整相加算を行なう受信部２２を備えている。そして、送信部２１は、レートパルス発生器２１１と、送信遅延回路２１２と、駆動回路２１３を備えており、レートパルス発生器２１１は、送信超音波の繰り返し周期を決定するレートパルスを生成して送信遅延回路２１２に供給する。
【００２６】
送信遅延回路２１２は、送信に使用される超音波振動子と同数のＮチャンネルの独立な遅延回路から構成され、送信超音波を所定の深さに集束するための集束用遅延時間と、送信超音波を所定の方向に送信するための偏向用遅延時間を上記レートパルスに与え、このレートパルスを駆動回路２１３に供給する。そして、駆動回路２１３は、送信遅延回路２１２と同数のＮチャンネルの独立な駆動回路を有しており、超音波プローブ３に内蔵されたＮ個の超音波振動子を駆動し、被検体内に送信超音波を放射する。
【００２７】
一方、受信部２２は、Ｎチャンネルから構成されるＡ／Ｄ変換器２２１及び受信遅延回路２２２と、加算器２２３を備えており、超音波振動子から供給されたＮチャンネルの受信信号は、Ａ／Ｄ変換器２２１にてデジタル信号に変換され、受信遅延回路２２２に送られる。受信遅延回路２２２は、所定の深さからの受信超音波を集束するための集束用遅延時間と、所定方向に対して受信指向性を設定するための偏向用遅延時間をＡ／Ｄ変換器２２１から出力されるＮチャンネルの受信信号の各々に与え、加算器２２３は、これら受信遅延回路２２２からの受信信号を加算する。即ち、受信遅延回路２２２と加算器２２３により、所定方向から得られた受信信号は整相加算される。
【００２８】
次に、受信信号処理部４は、包絡線検波器４１１と対数変換器４１２を備え、包絡線検波器４１１は、受信部２２の加算器２２３から供給された整相加算後の受信信号を包絡線検波し、この包絡線検波信号は対数変換器４１２においてその振幅が対数変換されてＢモードデータが生成される。一般に、被検体内からの受信信号は、８０ｄＢ以上の広いダイナミックレンジをもった振幅を有しており、これを３０ｄＢ程度のダイナミックレンジを有する通常のテレビモニタに表示するには、対数変換による振幅圧縮が必要となる。尚、包絡線検波器４１１と対数変換器４１２は順序を入れ替えて構成してもよい。
【００２９】
図１に戻って、ボリュームデータ記憶部５は、被検体に対する超音波の３次元走査によって得られた所定走査方向からのＢモードデータを保存するための記憶回路であり、受信信号処理部４において得られたＢモードデータはボリュームデータ記憶部５に走査方向単位で順次保存されてボリュームデータが生成される。
【００３０】
一方、方向・位置検出部６は、超音波プローブ３の中心軸をＺｏ軸として設定された直交座標系（Ｘｏ−Ｙｏ−Ｚｏ）において穿刺針１５０の挿入方向を検出する図示しない挿入方向検出器と、穿刺針１５０の先端部位置を検出する図示しない挿入深度検出器を備えている。例えば、穿刺針１５０の挿入方向をガイドする中空形状の穿刺針ガイド１５１が超音波プローブ３に対して回動自在に装着されている。そして、前記挿入方向検出器は、この穿刺針ガイドの回動角度を計測することによって穿刺針１５０の挿入方向を検出し、挿入深度検出器は、穿刺針ガイド１５０の中心軸上をスライドする穿刺針の移動量を計測することによって穿刺針先端部の位置を検出する。
【００３１】
又、入力部７は、操作パネル上に液晶表示パネルやキーボード、トラックボール、マウス等の入力デバイスを備え、被検体情報の入力、基準３次元画像データに対する画像表示方法や画像処理方法の初期設定、参照視線方向の設定、参照３次元画像データに対する画像表示方法及び画像処理方法の初期設定と更新、基準３次元画像データ表示モードと参照３次元画像データ表示モードの切り換え、マニュアル表示モードと自動表示モードの切り換え、更には、３次元画像データを生成するための各種コマンドの入力等を行なう。特に、参照３次元画像データに対する参照視線方向、画像表示方法及び画像処理方法はマニュアル表示モードと自動表示モードの各々に対して初期設定され、更に、自動表示モードにおける参照視線方向及び基準視線方向の更新時間間隔や相対回動角度も入力部７にて設定される。
【００３２】
尚、画像表示方法としてボリュームレンダリング表示、サーフェイスレンダリング表示、ＭＩＰ（Maximum Intensity Projection）表示、ＭＰＲ（Multi Planar reconstraction）表示、プレーンカット表示等があり、又、画像処理方法として透明度（Opacity）やプレーンカット位置、色調、輝度のダイナミックレンジ及びウインドウレベル、視野角度（視野範囲）、各種フィルタ定数等の設定がある。
【００３３】
次に、表示パラメータ設定部８は、基準視線方向設定部８１と自動表示モード設定部８２とマニュアル表示モード設定部８３と表示パラメータ記憶部８４を備えている。そして、基準視線方向設定部８１は、システム制御部１２を介して方向・位置検出部６から供給される穿刺針挿入方向の情報に基づいて基準３次元画像データの基準視線方向を設定する。
【００３４】
又、自動表示モード設定部８２は、基準視線方向設定部８１から供給される基準視線方向と予め設定された参照視線方向の相対回動角度の情報に基づいて参照視線方向を設定し、この参照視線方向と前記基準視線方向、更にはシステム制御部１２を介して入力部７から供給される基準３次元画像データ及び参照３次元画像データの画像表示方法と画像処理方法に基づいて自動表示モードにおける表示パラメータを設定する。
【００３５】
一方、マニュアル表示モード設定部８３は、基準視線方向設定部８１から供給される基準視線方向とシステム制御部１２を介して入力部７から供給される参照視線方向や基準３次元画像データ及び参照３次元画像データの画像表示方法と画像処理方法に基づいてマニュアル表示モードの表示パラメータを設定する。そして,表示パラメータ記憶部８４は、上述の自動表示モード設定部８２及びマニュアル表示モード設定部８３が設定した表示パラメータを保存する。
【００３６】
尚、上記表示パラメータとして、例えば、基準視線方向及び参照視線方向の位置座標、ボリュームデータから基準３次元画像データへの座標変換やボリュームデータから参照３次元画像データへの座標変換に必要な変換パラメータがあり、又、画像表示方法としてボリュームレンダリング表示を選択する場合には、３次元画像データの各画素に対する透明度や色調等の設定に必要なパラメータがある。そして、これらの表示パラメータは上述の自動表示モード設定部８２及びマニュアル表示モード設定部８３において生成される。
【００３７】
次に、画像再構成部９は、図示しない演算回路と記憶回路を備え、ボリュームデータ記憶部５に保存されている当該被検体のボリュームデータを画像再構成して所定の視線方向における３次元画像データを生成する。即ち、画像再構成部９の前記演算回路は、ボリュームデータ記憶部５に保存されているボリュームデータと表示パラメータ設定部８の表示パラメータ記憶部８４に保存されている座標変換に関する表示パラメータを読み出し、この表示パラメータに基づいてボリュームデータの各画素の座標変換を行なって３次元画像データ（画像処理前の３次元画像データ）を生成する。
【００３８】
一方、前記記憶回路には、画像再構成部９において生成された画像処理前の３次元画像データや画像処理前の３次元画像データを画像処理部１０が画像処理して得られた画像処理後の３次元画像データが保存される。
【００３９】
又、画像処理部１０は、図示しない演算回路を備え、画像再構成部９にて生成された画像処理前の３次元画像データに対して所望の画像表示方法における画像処理を行なう。例えば、ボリュームレンダリング表示に際して前記演算回路は３次元画像データにおける各画素の透明度と色調を設定し、更に、ノイズ低減や輪郭強調を目的としたフィルタリング処理等の画像処理を行なう。
【００４０】
次に、表示部１１は、図示しない表示用画像データ生成回路と変換回路とモニタを備え、表示用画像データ生成回路は、画像再構成部９の記憶回路に保存された画像処理後の３次元画像データに対し所定の表示形態に対応した走査変換等の処理を行なって表示用画像データを生成し、変換回路は、前記表示用画像データに対してＤ／Ａ変換とテレビフォーマット変換を行なってモニタに表示する。
【００４１】
システム制御部１２は、図示しないＣＰＵと記憶回路を備え、入力部７から入力された種々の情報は前記記憶回路に保存される。次いで、前記ＣＰＵは、これらの情報に基づいて超音波診断装置１００における上述の各ユニットの制御やシステム全体の制御を行なう。例えば、システム制御部１２は、送信部２１の送信遅延回路２１２及び受信部２２の受信遅延回路２２２における遅延時間を制御して被検体に対し超音波による３次元走査を行なう。尚、図３に、超音波プローブ３の中心をＺｏ軸とした直交座標（Ｘｏ−Ｙｏ−Ｚｏ）と走査方向（θｐ、φｑ）の関係を示す。
【００４２】
（３次元画像データの表示手順）
次に、本実施例における３次元画像データの表示手順につき図１乃至図６を用いて説明する。尚、図４及び図５は、３次元画像データの表示手順を示すフローチャートである。
【００４３】
（初期設定）
３次元画像データの生成と表示に先立ち、超音波診断装置１００の操作者は、入力部７において被検体情報を入力すると共に基準３次元画像データ及び参照３次元画像データに対する画像表示方法として「ボリュームレンダリング表示」を、更に、画像処理方法として「透明度」と「色調」を夫々初期設定する。そして、これらの入力情報や初期設定情報は、システム制御部１２の記憶回路に保存される（図４のステップＳ１）。
【００４４】
上述の初期設定が終了したならば、操作者は、入力部７にてボリュームデータの生成開始コマンドを入力し（図４のステップＳ２）、入力されたコマンド信号がシステム制御部１２に供給されることにより、ボリュームデータの生成が開始される。
【００４５】
このボリュームデータの生成に際して、図２に示した送信部２１のレートパルス発生器２１１は、システム制御部１２からの制御信号に従って被検体内に放射する送信超音波の繰り返し周期（レート周期）を決定するレートパルスを生成し送信遅延回路２１２に供給する。送信遅延回路２１２は、送信において細いビーム幅を得るために所定の深さに超音波を集束するための遅延時間と、最初の走査方向（θ１、φ１）に超音波を送信するための遅延時間を前記レートパルスに与え、このレートパルスをＮチャンネルの駆動回路２１３に供給する。次いで、駆動回路２１３は、送信遅延回路２１２から供給されたレートパルスに基づいて駆動信号を生成し、この駆動信号を超音波プローブ３におけるＮ個の超音波振動子に供給して被検体内に送信超音波を放射する。
【００４６】
放射された送信超音波の一部は、音響インピーダンスの異なる被検体の臓器境界面や組織にて反射し、送信時と同じ超音波振動子によって受信されてＮチャンネルの電気的な受信信号に変換される。次いで、この受信信号は、受信部２２のＡ／Ｄ変換器２２１においてデジタル信号に変換された後、Ｎチャンネルの受信遅延回路２２２において所定の深さからの受信超音波を収束するための遅延時間と走査方向（θ１、φ１）からの受信超音波に対し強い受信指向性を設定するための遅延時間が与えられ、加算器２２３にて整相加算される。
【００４７】
そして、整相加算後の受信信号が供給された受信信号処理部４の包絡線検波器４１１及び対数変換器４１２は、この受信信号に対して包絡線検波と対数変換を行なってＢモードデータを生成し、図１のボリュームデータ記憶部５に保存する。
【００４８】
走査方向（θ１、φ１）におけるＢモードデータの生成と保存が終了したならば、超音波の送受信方向がφ方向にΔφずつ更新されたφｑ＝φ１＋（ｑ−１）Δφ（ｑ＝２〜Ｑ）によって設定される走査方向（θ１、φ２乃至φＱ）に対して同様の手順で超音波の送受信を行なう。このとき、システム制御部１２は、その制御信号によって送信遅延回路２１２及び受信遅延回路２２２の遅延時間を超音波送受信方向に対応させて更新する。
【００４９】
上述の手順によって走査方向（θ１、φ１乃至φＱ）に対する超音波送受信が終了したならば、送受信方向がθ方向にΔθずつ更新されたθｐ＝θ１＋（ｐ−１）Δθ（ｐ＝２〜Ｐ）を設定し、走査方向θ２乃至θＰの各々に対して上述のφ１乃至φＱの超音波送受信を繰り返すことによって３次元走査が行なわれる。そして、各々の走査方向に対する超音波送受信によって得られたＢモードデータは走査方向に対応してボリュームデータ記憶部５に保存されボリュームデータが生成される（図４のステップＳ３）。
【００５０】
一方、操作者は、超音波プローブ３に対して回動自在に取り付けられた穿刺針ガイド１５１を所定の回動角度に固定した後、この穿刺針ガイドの中心に穿刺針１５０を装着する。このとき超音波プローブ３に取り付けられた方向・位置検出部６の挿入方向検出器は、超音波プローブ３の中心軸（Ｚｏ軸）に対する穿刺針ガイドの回動角度ξｏに基づいて穿刺針の挿入方向を検出し、検出結果をシステム制御部１２を介して表示パラメータ設定部８の基準視線方向設定部８１に供給する。
【００５１】
基準視線方向設定部８１は、方向・位置検出部６から供給された穿刺針の挿入方向の情報に基づき基準３次元画像データに対する基準視線方向を設定してマニュアル表示モード設定部８３に供給し（図４のステップＳ４）、マニュアル表示モード設定部８３は、入力部７よりシステム制御部１２を介して供給される基準３次元画像データの画像表示方法及び画像処理方法の情報と基準視線方向設定部８１から供給される基準視線方向の情報に基づき、基準３次元画像データを生成するための表示パラメータを設定して表示パラメータ記憶部８４に保存する（図４のステップＳ５）。
【００５２】
一方、画像再構成部９の演算回路は、ボリュームデータ記憶部５に保存されたボリュームデータと表示パラメータ記憶部８４に保存された座標変換に関する表示パラメータを読み出し、前記ボリュームデータの各画素に対し座標変換を行なって画像処理前の基準３次元画像データを生成し、自己の記憶回路に保存する。次いで、画像処理部１０は、画像再構成部９にて生成された画像処理前の基準３次元画像データの各画素に対しボリュームレンダリング表示における透明度や色調等を設定して画像処理後の基準３次元画像データを生成し、画像再構成部９の記憶回路に保存する。
【００５３】
次いで、表示部１１の表示用画像データ生成回路は、画像再構成部９の記憶回路に保存された画像処理後の基準３次元画像データに対し走査変換等の処理を行なって表示用画像データを生成する。そして、この表示用画像データは、Ｄ／Ａ変換とテレビフォーマット変換が施された後モニタに表示される（図４のステップＳ６）。
【００５４】
表示部１１のモニタに表示された基準３次元画像データの観測において、穿刺針１５０の周囲に位置する臓器や血管、更には体内ガスや骨格等により穿刺針の挿入方向や病巣部を把握することが困難な場合には、操作者は、入力部７において参照３次元画像データ表示モードとマニュアル表示モードを選択し（図４のステップＳ７）、更に、参照３次元画像データ用画像パラメータ（即ち、参照視線方向、画像表示方法及び画像処理方法）の設定あるいは更新を行なう。（図４のステップＳ８）。但し、上述のマニュアル表示モードの代りに後述する自動表示モードを選択することも可能である。
【００５５】
図６は、基準視線方向と参照視線方向の位置関係を示したものであり、基準視線方向Ｃ１をＺ軸とした直交座標（Ｘ―Ｙ―Ｚ）において参照視線方向Ｃ２が定義される。例えば、参照視線方向Ｃ２は基準視線方向Ｃ１をＹ軸の周囲で角度ηｙ、Ｘ軸の周囲で角度ηｘだけ回動させることによって所望の参照視線方向Ｃ２に設定することが可能となる。尚、上述の参照視線方向の設定の際に、必要に応じて前記参照視線方向を回転軸とした画像回転が行なわれる。
【００５６】
即ち、操作者は、入力部７の操作パネルにおいて参照３次元画像データの選択とマニュアル表示モードの選択を行ない、更に基準視線方向Ｃ１の回動中心として「Ｘ軸」あるいは「Ｙ軸」の何れかを選択した後、例えば、キーボード上の上矢印「↑」及び下矢印「↓」を用いて回動角度「ηｘ」あるいは「ηｙ」を設定し、更に、右矢印「→」及び左矢印「←」を用いて画像回転を行なう。但し、特許文献２に記載されているような方法によって上述の回動角度「ηｘ」、「ηｙ」及び画像回転を同時に設定してもよい。
【００５７】
次に、入力部７において設定あるいは更新された参照３次元画像データ用の画像パラメータは、システム制御部１２を介してマニュアル表示モード設定部８３に供給され、マニュアル表示モード設定部８３は、上述の画像パラメータに基づき参照３次元画像データを生成するための表示パラメータを設定して表示パラメータ記憶部８４に保存する（図４のステップＳ９）。
【００５８】
一方、画像再構成部９は、ボリュームデータ記憶部５に保存されているボリュームデータと表示パラメータ設定部８の表示パラメータ記憶部８４に保存された参照３次元画像データのための表示パラメータを読み出し、前記ボリュームデータの各画素に対して座標変換を行なって画像処理前の参照３次元画像データを生成する。そして、画像処理部１０は、この画像処理前の参照３次元画像データの各画素に対し画像処理を行ない、表示部１１は、画像処理後の参照３次元画像データをモニタに表示する（図４のステップＳ１０）。
【００５９】
操作者は、このようにして生成された参照３次元画像データを観測した後、更に、他の参照視線方向からの参照３次元画像データを観測したい場合、あるいは画像表示方法や画像処理方法を変更したい場合にはこれらの画像パラメータを入力部７において更新し、表示パラメータ設定部８は、更新された画像パラメータに基づいて参照３次元画像データ用の表示パラメータを設定する。そして、画像再構成部９及び画像処理部１０は、設定された表示パラメータを用いて参照３次元画像データを生成し表示部１１に表示する（図４のステップＳ８乃至Ｓ１０）。
【００６０】
一方、参照３次元画像データの観測によって十分な情報が得られた場合には、操作者は、入力部７において基準３次元画像データ表示モードを選択し（図４のステップＳ１１）。この表示モード切り換え情報をシステム制御部１２を介して受信した画像再構成部９は、上述のステップＳ６における最後の基準３次元画像データの生成に用いられ表示パラメータ設定部８の表示パラメータ記憶部８４に保存されている表示パラメータ（以下では、最新表示パラメータと呼ぶ。）を読み出し（図４のステップＳ１２）、次いでボリュームデータ記憶部５に保存されているボリュームデータの各画素を前記最新表示パラメータに基づいて座標変換して画像処理前の基準３次元画像データを生成する。又、画像処理部１０は、この画像処理前の基準３次元画像データの各画素に対し表示パラメータ記憶部８４に保存されている最新表示パラメータに基づいてボリュームレンダリング表示のための画像処理を行ない、画像処理後の基準３次元画像データを表示部１１のモニタに表示する（図４のステップＳ１３）。
【００６１】
そして、操作者は、この基準３次元画像データの観測下にて穿刺針の挿入を行ない（図４のステップＳ１４）、更に上述の各ステップを繰り返す（図４のステップＳ２乃至Ｓ１４）。以上述べた手順により、基準３次元画像データ及び所望の参照３次元画像データの観測下で穿刺針の挿入を継続し、その先端部が病巣部に到達したならば、所定の治療行為を行なう。例えば、エタノール注入による肝臓癌の治療を行なう場合には、穿刺針１５０の先端部が病巣部に正確に挿入されたことを上述の３次元画像データによって確認した後、エタノールの注入を前記病巣部に対して行なう。
【００６２】
以上、操作者がマニュアル表示モードを選択した場合における３次元画像データの表示手順について述べたが、本実施例における超音波診断装置１００には既に述べたように自動表示モード機能が備えられている。
【００６３】
即ち、上述のステップＳ６において基準視線方向に基づいた基準３次元画像データの観測が行なわれた後、入力部７にて参照３次元画像データ表示モードと自動表示モードが選択された場合には（図５のステップＳ２１）、この選択情報がシステム制御部１２を介して供給された表示パラメータ設定部８の自動表示モード設定部８２は、基準視線方向設定部８１から供給される基準視線方向の情報と予め設定された相対回動角度の情報に基づいて１つあるいは複数の参照視線方向を自動設定する（図５のステップＳ２２）。次いで、この参照視線方向の情報と予め内部の記憶回路に保存されている参照３次元画像データの画像表示方法及び画像処理方法の情報に基づいて参照３次元画像データ用の表示パラメータを設定して表示パラメータ記憶部８４に保存する。
【００６４】
（図５のステップＳ２３）
そして、画像再構成部９は、表示パラメータ設定部８の表示パラメータ記憶部８４に保存されている参照３次元画像データ用の表示パラメータを読み出し、ボリュームデータ記憶部５に保存されているボリュームデータの各画素を前記参照３次元画像データ用の表示パラメータに基づいて座標変換して画像処理前の基準３次元画像データを生成する。又、画像処理部１０は、この画像処理前の基準３次元画像データの各画素に対し表示パラメータ記憶部８４に保存されている参照３次元画像データ用表示パラメータに基づく画像処理を行なって表示部１１のモニタに表示する（図５のステップＳ２４）。
【００６５】
尚、予め設定された参照視線方向数が複数の場合には、所定時間間隔Ｔｘ（例えば、数秒間隔）で参照視線方向を順次更新し、画像再構成部９及び画像処理部１０は、更新された参照視線方向に対する参照３次元画像データ用表示パラメータを用いて参照３次元画像データを生成し表示部１１に時系列表示する。
【００６６】
上述の参照３次元画像データの表示が終了したならば、自動的に基準３次元画像データ表示モードが選択され（図５のステップＳ２５）、画像再構成部９及び画像処理部１０は、表示パラメータ設定部８の表示パラメータ記憶部８４に保存されている基準３次元画像データ用の最新表示パラメータを読み出す（図５のステップＳ２６）。そして、得られた最新表示パラメータに基づいて基準３次元画像データを生成し表示部１１にリアルタイム表示する（図５のステップＳ２７）。
【００６７】
次いで、所定期間Ｔｙにおける基準３次元画像データのリアルタイム表示が終了したならばステップＳ２２に戻り、基準視線方向に基づく基準３次元画像データと１つあるいは複数の参照視線方向に基づく参照３次元画像データを所定間隔Ｔｘで表示する。即ち、表示部１１のモニタには、基準３次元画像データと参照３次元画像データが所定間隔で繰り返し表示され、操作者は、複数の視線方向における３次元画像データの観測下にて穿刺針の移動（挿入）を行なう（図５のステップＳ２８）。
【００６８】
以上述べた本発明の第１の実施例によれば、基準３次元画像データと参照３次元画像データの観測を交互に行なう際に、基準３次元画像データの生成に用いた表示パラメータが逐次保存されるため、参照３次元画像データの観測から基準３次元画像データの観測に戻る場合、保存された最新の表示パラメータを用いて基準３次元画像データを生成することができる。このため、参照３次元画像データの表示から基準３次元画像データの表示への切り換えを短時間で行なうことが可能となり、診断・治療効率は飛躍的に向上する。
【００６９】
又、極めて簡単な操作で３次元画像データの切り換えが可能となるため、操作者の負担が軽減され、更に、最新の表示パラメータが用いられるため切り換え前後の基準視線方向を正確に一致させることが可能となり、再現性に優れた基準３次元画像データを得ることができる。
【００７０】
尚、上述の第１の実施例では、穿刺針の挿入方向に基づいて基準視線方向の設定を行なったが、方向・位置検出器６によって検出される穿刺針の挿入深度の情報に基づき、例えば、ボリュームレンダリング表示における透明度や輝度の設定、プレーンカット表示におけるプレーン位置の設定、更には、ＭＰＲ表示おける画像断面位置の設定などを行なうことができる。又、穿刺針による治療を目的とした３次元画像データの表示について述べたが、カテーテルや強力超音波を用いた診断・治療においても同様の手順によって３次元画像データを表示することが可能である。
【００７１】
一方、上述の実施例における超音波診断装置では、Ｂモードデータに基づいてボリュームデータを生成する場合について述べたが、カラードプラデータ等、他の超音波データに基づいてボリュームデータを生成してもよい。又、２次元配列された超音波振動子による３次元走査について述べたが、これに限定されるものではなく、例えば、１次元配列された超音波振動子を配列方向に垂直な方向に移動させることによって３次元走査を行なってもよい。更に、コンベックス走査やリニア走査、更にはラジアル走査等、セクタ走査以外の走査法によってボリュームデータを生成してもよい。
【実施例２】
【００７２】
次に、本発明の第２の実施例について説明する。上述の第１の実施例では、超音波診断装置１００の送受信部２、超音波プローブ３、受信信号処理部４及びボリュームデータ記憶部５を用いてボリュームデータを生成し、このボリュームデータに基づいて基準３次元画像データ及び参照３次元画像データの生成と表示を行なう場合について述べたが、別途設置された医用画像診断装置から供給されたボリュームデータに基づいて上述の３次元画像データの生成及び表示を行なう３次元画像表示装置であってもよい。
【００７３】
即ち、以下に述べる本発明の第２の実施例における３次元画像表示装置では、医用画像診断装置から供給された被検体のボリュームデータに対して設定した画像パラメータ（基準視線方向、画像表示方法及び画像処理方法）に基づいて表示パラメータの設定と保存を行ない、この表示パラメータに基づいて基準３次元画像データの生成と表示を行なう。次いで、基準３次元画像データの表示を中断し、所望の方向に設定した参照視線方向に基づいて参照３次元画像データの生成と表示を行なった後、保存された前記表示パラメータに基づいた基準３次元画像データの生成と表示を続行する。
【００７４】
（装置の構成）
本発明の第２の実施例における３次元画像表示装置の全体構成につき図７のブロック図を用いて説明する。この３次元画像表示装置２００は、別途設置された医用画像診断装置から画像データＩＦ（インターフェース）１ａを介して供給されるボリュームデータを保存するボリュームデータ記憶部５ａと、このボリュームデータを画像処理することによって穿刺針あるいはカテーテル等の輪郭を抽出し、この輪郭情報に基づいて挿入方向や挿入深度を検出する方向・位置検出部６ａと、被検体情報の入力、参照視線方向の設定、基準３次元画像データ及び参照３次元画像データに対する画像表示方法や画像処理方法等の設定、更には、各種コマンド信号の入力等を行なう入力部７ａと、３次元画像データの視線方向や画像表示方法、更には画像処理方法等に基づいて表示パラメータの設定と保存を行なう表示パラメータ設定部８ａを備えている。
【００７５】
更に、３次元画像表示装置２００は、ボリュームデータ記憶部５ａに保存されたボリュームデータを読み出し、上述の表示パラメータに基づいて所定視線方向からの３次元画像データを再構成する画像再構成部９ａと、得られた３次元画像データに対して画像処理を行なう画像処理部１０ａと、画像処理された３次元画像データを表示する表示部１１ａと、上述の各ユニットを統括的に制御するシステム制御部１２ａを備えている。
【００７６】
そして、表示パラメータ設定部８ａは、システム制御部１２ａを介して方向・位置検出部６ａから供給される穿刺針等の挿入方向の情報に基づいて基準３次元画像データの基準視線方向を設定する基準視線方向設定部８１ａと、この基準視線方向設定部８１ａから供給される基準視線方向と予め設定された参照視線方向の相対回動角度に基づいて１つあるいは複数の参照視線方向を設定し、この参照視線方向と前記基準視線方向、更には入力部７ａから供給される３次元画像データの画像表示方法や画像処理方法に基づいて自動表示モードにおける表示パラメータを設定する自動表示モード設定部８２ａを備え、更に、基準視線方向設定部８１ａから供給される基準視線方向とシステム制御部１２ａを介して入力部７ａから供給される参照視線方向や３次元画像データの画像表示方法及び画像処理方法に基づいてマニュアル表示モードの表示パラメータを設定するマニュアル表示モード設定部８３ａと、上述の表示パラメータを保存する表示パラメータ記憶部８４ａを備えている。但し、方向・位置検出部６ａ及びボリュームデータ記憶部５ａを除く上述の各ユニットは、これらのユニットに対応する第１の実施例のユニットと略同様の機能を有しているため詳細な説明は省略する。
【００７７】
（３次元画像データの表示手順）
次に、本実施例における３次元画像データの表示手順を図８に示したフローチャートに沿って説明する。但し、この第２の実施例の手順を示すフローチャートにおいて、図４に示した第１の実施例のステップと同一の手順を示すステップは同一符合で示し、その説明を省略する。
【００７８】
３次元画像データの生成と表示に先立ち、３次元画像表示装置２００の操作者は、入力部７ａにおいて基準３次元画像データ及び参照３次元画像データに対する画像表示方法と画像処理方法を初期設定する。そして、システム制御部１２ａは入力部７ａから供給されたこれらの初期設定情報を自己の記憶回路に保存する（図８のステップＳ３１）。
【００７９】
上述の初期設定が終了したならば、操作者は、別途設置された医用画像診断装置に対してボリュームデータを要求し、供給されたボリュームデータを画像データＩＦ１ａを介してボリュームデータ記憶部５ａに一旦保存する（図８のステップＳ３２）。
【００８０】
次に、方向・位置検出部６ａは、ボリュームデータ記憶部５ａに保存されたボリュームデータを読み出し、例えば、輪郭強調処理等の画像処理を行なって穿刺針やカテーテル等の診断・治療器具の輪郭を抽出する。そして、得られた輪郭情報に基づいて上記診断・治療器具の挿入方向や挿入深度を検出し、検出結果をシステム制御部１２ａを介して表示パラメータ設定部８ａの基準視線方向設定部８１ａに供給する。
【００８１】
次いで、基準視線方向設定部８１ａは、上記診断・治療器具の挿入方向の情報に基づき基準３次元画像データに対する基準視線方向を設定してマニュアル表示モード設定部８３ａに供給し（図８のステップＳ３３）、マニュアル表示モード設定部８３ａは、システム制御部１２ａより供給される基準３次元画像データの画像表示方法及び画像処理方法の情報と基準視線方向設定部８１ａから供給される基準視線方向の情報に基づき、基準３次元画像データを生成するための表示パラメータを設定して表示パラメータ記憶部８４ａに保存する（図８のステップＳ３４）。
【００８２】
一方、画像再構成部９ａは、ボリュームデータ記憶部５ａに保存されたボリュームデータと表示パラメータ記憶部８４ａに保存された座標変換に関する表示パラメータを読み出し、前記ボリュームデータの各画素に対し座標変換を行なって画像処理前の基準３次元画像データを生成する。そして、画像処理部１０ａは、画像再構成部９ａにて生成された画像処理前の基準３次元画像データの各画素に対し所定の画像処理を行なって画像処理後の基準３次元画像データを生成する。一方、表示部１１ａは、画像処理後の基準３次元画像データに対し走査変換、Ｄ／Ａ変換、テレビフォーマット変換等を行なった後モニタに表示する（図８のステップＳ３５）。
【００８３】
以上、本実施例における基準３次元画像データの表示手順について述べたが、この基準３次元画像データの表示に後続するマニュアル表示モードでの参照３次元画像データの表示と基準３次元画像データの再表示、更には自動表示モードにおける基準３次元画像データ及び参照３次元画像データの表示の手順については第１の実施例の場合と同様であるため説明を省略する。
【００８４】
以上述べた本発明の第２の実施例によれば、第１の実施例と同様にして、参照３次元画像データの表示から基準３次元画像データの表示への切り換えを短時間で行なうことが可能となるため、診断・治療効率が飛躍的に向上し、操作者の負担が軽減される。更に、最新の表示パラメータを用いて基準３次元画像データが生成されるため再現性に優れた基準３次元画像データを再表示することができる。
【００８５】
更に、本実施例における３次元画像表示装置は、医用画像診断装置に対して独立に構成されているため、超音波診断装置のみならず他の画像診断装置によって収集されたボリュームデータに対しても所望の基準３次元画像データ及び参照３次元画像データの生成と表示が可能となる。
【００８６】
以上、本発明の実施例について述べてきたが、本発明は、上述の実施例に限定されるものではなく、変形して実施することが可能である。例えば、上述の実施例では参照３次元画像データの表示から基準３次元画像データの表示に切り替わる際、保存された最新の参照３次元画像データ用表示パラメータに基づいて新たな基準３次元画像データの生成を行なったが、最新の参照３次元画像データ用表示パラメータの代りに最新の参照３次元画像データ用画像パラメータを用いてもよい。
【００８７】
又、上述の第１の実施例では超音波プローブに回動自在に取り付けられたガイドの回動角度に基づいて基準視線方向の設定を行なったが、第２の実施例と同様にして、ボリュームデータを画像処理して得られた輪郭情報に基づいて基準視線方向等の設定を行なってもよい。
【図面の簡単な説明】
【００８８】
【図１】本発明の第1の実施例における超音波診断装置の全体構成を示すブロック図。
【図２】同実施例の超音波診断装置が備える送受信部及び受信信号処理部の構成を示すブロック図。
【図３】同実施例における超音波プローブの座標と走査方向の関係を示す図。
【図４】同実施例のマニュアル表示モードにおける３次元画像データの表示手順を示すフローチャート。
【図５】同実施例の自動表示モードにおける３次元画像データの表示手順を示すフローチャート。
【図６】同実施例における基準視線方向と参照視線方向の関係を示す図。
【図７】本発明の第２の実施例における3次元画像表示装置の全体構成を示すブロック図。
【図８】同実施例における３次元画像データの表示手順を示すフローチャート。
【符号の説明】
【００８９】
１a…画像データＩＦ
２…送受信部
３…超音波プローブ
４…受信信号処理部
５、５ａ…ボリュームデータ記憶部
６、６ａ…方向・位置検出部
７、７ａ…入力部
８、８ａ…表示パラメータ設定部
９、９ａ…画像再構成部
１０、１０ａ…画像処理部
１１、１１ａ…表示部
１２、１２ａ…システム制御部
３…超音波プローブ
２１…送信部
２２…受信部
８１、８１ａ…基準視線方向設定部
８２、８２ａ…自動表示モード設定部
８３、８３ａ…マニュアル表示モード設定部
８４、８４ａ…表示パラメータ記憶部
２１１…レートパルス発生器
２１２…送信遅延回路
２１３…駆動回路
２２１…Ａ／Ｄ変換器
２２２…受信遅延回路
２２３…加算器
４１１…包絡線検波器
４１２…対数変換器
１００…超音波診断装置
２００…３次元画像表示装置
【図１】
2006346176.tif 000003
【図２】
2006346176.tif 000004
【図３】
2006346176.tif 000005
【図４】
2006346176.tif 000006
【図５】
2006346176.tif 000007
【図６】
2006346176.tif 000008
【図７】
2006346176.tif 000009
【図８】
2006346176.tif 000010